(57)【要約】      （修正有）【課題】寝たきりの人や身体の不自由な人のし尿処理を効果的に行うおむつを提供する。【解決手段】開口部が設けられた股下領域、腹部領域、および背部領域を有する本体１２と、腹部領域の裏面に取り外し可能に配置されたＶ形横断面の主部１４ａを有する吸収体１４とを備え、主部の裏面の側が耐水性被覆材１４ｂで覆われ、耐水性被覆材の下部分が、主部の下端を超えて開口部まで延びており、主部の左右端に、主部の上端から下端に向かって主部の方へ徐々に接近するように傾斜付けするための傾斜部がそれぞれ設けられている。【選択図】図４
0003234195.tif 000002
【実用新案登録請求の範囲】
【請求項１】
開口部が設けられた股下領域、腹部領域、および背部領域を有する本体と、
前記本体の前記腹部領域の裏面に取り外し可能に配置されたＶ形横断面の主部を有する吸収体とを備え、
前記吸収体の前記主部の前記裏面の側が耐水性被覆材で覆われ、前記耐水性被覆材の下部分が、前記主部の下端を超えて前記開口部まで延びており、
前記主部の左右端に、前記主部の上端から下端に向かって前記主部の方へ徐々に接近するように傾斜付けするための傾斜部がそれぞれ設けられている
ことを特徴とするおむつ。
【請求項２】
上端が開放し、下端が閉鎖した筒状のし尿収容袋をさらに備え、
前記し尿処理袋の前記上端が前記本体の前記開口部に取り外し可能に取り付けられていることを特徴とする請求項１に記載されたおむつ。
【考案の詳細な説明】
【技術分野】
【０００１】
本考案は一般に、おむつに関する。より詳細には、本考案は、寝たきりの人や身体の不自由な人のし尿処理を効果的に行うおむつに関する。
【背景技術】
【０００２】
寝たきりの人や身体の不自由な人のし尿処理は、本人にとっても介護者にとっても昼夜を問わず日常的に発生する切実な問題である。従来、寝たきりの人や身体の不自由な人のし尿処理は、おむつを常時装着することによって行われている。
【考案の概要】
【考案が解決しようとする課題】
【０００３】
しかしながら、従来のおむつは、排泄されたし尿を一定時間（おむつを交換するまで）おむつ内に保持するように構成されているため、おむつ装着者に不快感を抱かせるとともに、皮膚炎の原因にもなり得るという課題があった。
【０００４】
本考案は、このような状況に鑑みて開発されたものであって、寝たきりの人や身体の不自由な人のし尿処理を効果的に行うおむつを提供することを目的としている。
【課題を解決するための手段】
【０００５】
本願請求項１に記載のおむつは、開口部が設けられた股下領域、腹部領域、および背部領域を有する本体と、前記本体の前記腹部領域の裏面に取り外し可能に配置されたＶ形横断面の主部を有する吸収体とを備え、前記吸収体の前記主部の前記裏面の側が耐水性被覆材で覆われ、前記耐水性被覆材の下部分が、前記主部の下端を超えて前記開口部まで延びており、前記主部の左右端に、前記主部の上端から下端に向かって前記主部の方へ徐々に接近するように傾斜付けするための傾斜部がそれぞれ設けられていることを特徴とするものである。
【０００６】
本願請求項２に記載のおむつは、本願請求項１のおむつにおいて、上端が開放し、下端が閉鎖した筒状のし尿収容袋をさらに備え、前記し尿処理袋の前記上端が前記本体の前記開口部に取り外し可能に取り付けられていることを特徴とするものである。
【考案の効果】
【０００７】
本考案のおむつによれば、外面が耐水性被覆材で覆われ、左右端に傾斜部を設けた主部を有する吸収体を設けたことにより、尿が外部に漏れる可能性を最小限にしつつ、重力により尿を徐々に下降させて、し尿収容袋に導くように構成されているため、使用者に与える不快感を極力抑えることが可能になる。また、取り外し可能な、し尿処理袋を設けることにより、おむつの本体を繰り返し使用することが可能になる。
【図面の簡単な説明】
【０００８】
【図１】本考案の好ましい実施の形態に係るおむつが展開されている状態を示した平面図である。
【図２】吸収体を示した一連の図であって、図２（ａ）は、吸収体の斜視図、図２（ｂ）は、吸収体の平面図、図２（ｃ）は、吸収体を線２ｃ‐２ｃの方向から見た図、図２（ｄ）は、吸収体を線２ｄ‐２ｄの方向から見た図、図２（ｅ）は、図２（ｄ）の線２ｅ‐２ｅに沿って見た図である。
【図３】吸収体に取り付けられた傾斜部を示した図であって、図３（ａ）は、傾斜部が取り付けられた吸収体の上部を示した拡大斜視図、図３（ｂ）は、図３（ａ）の線３ｂ‐３ｂに沿って見た図、図３（ｃ）は、おむつの使用時における吸収体を示した模式図である。
【図４】本体に吸収体が設置されている状態を示した展開図である。
【図５】本考案のおむつの使用例を示した模式図である。
【考案を実施するための形態】
【０００９】
次に、図面を参照して、本考案の好ましい実施の形態に係るおむつについて詳細に説明する。図１は、本考案の好ましい実施の形態に係るおむつが展開されている状態を示した平面図（図面の明瞭化のため、後述する吸収体１４を図示せず）である。図１において全体として参照符号１０で示されるおむつは、本体１２を備えている。
【００１０】
本体１２は、図１に示されるように、使用者の腹部から股間部を通って背部に延びる縦方向Ｘと、縦方向Ｘと直交する横方向Ｙとを有する。本体１２は、おむつ１０の使用時に使用者の股間部に位置する股下領域１２ｂと、股下領域１２ｂから腹部の側に位置する腹部領域１２ａと、股下領域１２ｂから背部の側に位置する背部領域１２ｃとの３つの領域に大別される。
【００１１】
本体１２は、縦方向Ｘの中央部において横方向Ｙの内方にくびれた平面形状を有する（換言すると、股下領域１２ｂは、腹部領域１２ａおよび背部領域１２ｃよりも幅狭に形成されている）。本体１２の背部領域１２ｃの側縁部１２ｃ１には，ファスニングテープ１２ｄが取り付けられている。腹部領域１２ａの外面（装着者の皮膚に接触しない側の面）には、ファスニングテープ１２ｄを接着させるためのランディングテープ（図示せず）が配置されている。
【００１２】
股下領域１２ｂには、便をし尿収容袋１８に通すための開口部１２ｅが設けられている。
【００１３】
腹部領域１２ａと背部領域１２ｃは、おむつ１０の装着時に、ファスニングテープ１２ｄを対応するランディングテープに接触させることによって互いに接着され、一体になって使用者の腰回りに位置決めされることになる。
【００１４】
本体１２の以上のような構成は、開口部１２ｅが設けられている点を除いて、公知のおむつの構成と同様である。なお、本体１２は、布や紙などの所望の材料で形成されている。
【００１５】
おむつ１０はまた、吸収体１４を備えている。図２は、吸収体１４を示した一連の図である。吸収体１４は、Ｖ形横断面で一定長さＬの主部１４ａを有する。主部１４ａは、吸水性材料（例えば、吸水性の速乾性スポンジ）で形成されている。
【００１６】
主部１４ａの外面（装着者の皮膚に接触しない側の面）の全体は、耐水性被覆材１４ｂで覆われている。より詳細に説明すると、耐水性被覆材１４ｂは、上端１４ｂ１が主部１４ａの上端１４ａ１とほぼ同じ個所に位置し、下端１４ｂ２が主部１４ａの下端１４ａ２を超えた個所に位置し、左右端１４ｂ３が主部１４ａの左右端１４ａ３を超えて、折り返し（１４ｂ４）た個所に位置するような大きさを有している。これにより、耐水性被覆材１４ｂの下部分は、主部１４ａの外面に接触していないことになる（図２（ｅ）参照）。耐水性被覆材１４ｂとしては、公知の軟質プラスチック材料（いわゆるビニル材料）を使用してよい。
【００１７】
おむつ１０はさらに、主部１４ａの左右端１４ａ３に傾斜を設けるための傾斜部１６を備えている。すなわち、傾斜部１６は、図３（ａ）に示されるように、主部１４ａと実質的に同じ厚みを有し、主部１４ａの左右端１４ａ３に、上端１４ａ１から下端１４ａ２に向かって主部１４ａの方へ徐々に接近する傾斜が設けられるような形状を有している。傾斜部１６は、詳細には後述するように、主部１４ａに含まれた尿をし尿収容袋１８に導く役目を果たす。傾斜部１６は、主部１４ａと同じ材料で形成してよい。なお、し尿収容袋１８は、上端が開放し、下端が閉鎖した筒状の形状を有しており、耐水性被覆材１４ｂと同様の公知の軟質プラスチック材料（いわゆるビニル材料）で形成されている。
【００１８】
図４は、本体１２に吸収体１４が設置されている状態を示した展開図である。おむつ１０は、本体１２の腹部領域１２ａの裏面の適所に、耐水性被覆材１４ｂの少なくとも下端１４ｂ２（好ましくは、耐水性被覆材１４ｂの下部分）が開口部１２ｅ内に位置するように吸収体１４の主部１４ａの外面を接触させて貼付することによって、使用時の状態になる。なお、吸収体１４の主部１４ａの本体１２への貼付は、ファスニングテープ／ランディングテープや両面感圧接着テープ（図示せず）などの公知の手段によって行われる。
【００１９】
以上のように構成されたおむつ１０の使用例について説明する。図５は、おむつ１０の使用例を示した模式図である。使用者の腹部に本体１２の腹部領域１２ａを、使用者の背部に本体１２の背部領域１２ｃをあてがった状態で、ファスニングテープ１２ｄを対応するランディングテープに接触させることによって、おむつ１０を使用者の腰回りに装着する。その際、吸収体１４の耐水性被覆材１４ｂの少なくとも下端１４ｂ２が本体１２の開口部１２ｅ内に位置するように注意する。そして、予め準備したし尿収容袋１８の上端を本体１２の開口部１２ｅに取り外し可能な手段（たとえば、両面感圧接着テープ）によって取り付ける。一方、敷布団、マットレスなどの寝具（図示せず）に開口を設け、この開口に受け箱２０を設置し、し尿収容袋１８の下端を受け箱２０に接続する。以上により、おむつ１０の使用環境が整うことになる。
【００２０】
上記のような使用環境下において排尿されると、尿は吸収体１４の主部１４ａに吸収される。その際、主部１４ａが耐水性被覆材１４ｂで外面が覆われたＶ形横断面を有しているため、尿が主部１４ａの外部に漏れることは少なく、本体１２が尿で汚れる可能性を最小限にすることができる。おむつ１０の使用時には使用者が仰臥しているため、吸収体１４は使用者の脚部の方へ下向きに傾斜している状態になる（図３（ｃ）参照。図３（ｃ）において、線Ｂ‐Ｂは使用者の身体の上面を表している）。これにより、主部１４ａに吸収された尿は、重力により徐々に下降して（図３（ｃ）の白抜き矢印参照）、し尿収容袋１８に至ることになる。
【００２１】
一方、上記のような使用環境下において排便されると、便は、本体１２の開口部１２ｅからし尿収容袋１８に落下する。
【００２２】
し尿が収容されたし尿収容袋１８は、定期的に本体１２から取り外して廃棄され、本体１２には新しいし尿収容袋１８が取り付けられる。このようにして常時清潔な状態を保つことにより、使用者に快適な環境を提供することができる。
【００２３】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２４】
例えば、図示されている構成要素（本体１２、吸収体１４など）の寸法や細部の形状などは、単なる例示的なものであり、図示されているものに限定されるものではない。
【符号の説明】
【００２５】
１０  おむつ
１２  本体
１２ａ  腹部領域
１２ｂ  股下領域
１２ｃ  背部領域
１２ｄ  ファスニングテープ
１２ｅ  開口部
１４  吸収体
１４ａ  主部
１４ａ１  上端
１４ａ２  下端
１４ａ３  左右端
１４ｂ  耐水性被覆材
１４ｂ１  上端
１４ｂ２  下端
１４ｂ３  左右端
１４ｂ４  折り返し
１６  傾斜部
１８  し尿収容袋
２０  受け箱
【図１】
0003234195.tif 000003
【図２】
0003234195.tif 000004
【図３】
0003234195.tif 000005
【図４】
0003234195.tif 000006
【図５】
0003234195.tif 000007